(57)【要約】【課題】脈波情報を取得する際のユーザの煩わしさを軽減する。【解決手段】生体情報の読み取り部（１１）と、脈波測定部（１２）と、制御装置（２１）とを備える電子機器（１）であって、制御装置（２１）は、読み取った生体情報に基づいてユーザの認証を行い、生体情報の読み取りの際に脈波測定部（１２）から脈波の測定結果を取得し、認証には脈波の測定結果を使用しないが、脈波の測定が終了するまでは認証を完了させない。【選択図】図１
2020074910.tif 000002
【特許請求の範囲】
【請求項１】
ユーザの生体情報を読み取る読み取り部と、前記読み取り部に隣接して配置された脈波測定部と、少なくとも１つの制御装置とを備える電子機器であって、
前記制御装置は、
前記読み取り部が読み取った生体情報に基づいて前記ユーザの認証を行う第１処理と、
前記生体情報の読み取りの際に、前記脈波測定部から脈波の測定結果を取得する第２処理と、を実行し、
前記第１処理では、前記認証には前記脈波の測定結果を使用しないが、前記脈波の測定が終了するまでは、前記認証を完了させない、電子機器。
【請求項２】
前記制御装置は、
前回の脈波測定からの経過時間が閾値以内である場合、前記第１処理では、前記脈波の測定終了を待たずに前記認証を完了させる、請求項１に記載の電子機器。
【請求項３】
前記制御装置は、前記ユーザに対し、前記脈波測定部による過去の脈波の測定結果と、前記脈波測定部による最新の脈波の測定結果との比較結果に基づく報知を行う、請求項１または２に記載の電子機器。
【請求項４】
前記制御装置は、
前記脈波測定部によって所定期間内に取得された前記脈波の測定結果に基づいて前記ユーザの健康状態を評価し、前記ユーザの健康状態の評価結果を前記ユーザまたは所定の通知先に報知する、請求項１〜３の何れか１項に記載の電子機器。
【請求項５】
前記電子機器は、非装着型の携帯端末である、請求項１〜４の何れか１項に記載の電子機器。
【請求項６】
電子機器を制御する制御装置であって、
前記電子機器が備える読み取り部が読み取った生体情報に基づいてユーザの認証を行う第１処理を実行する認証部と、
前記生体情報の読み取りの際に、前記読み取り部に隣接して配置された脈波測定部から脈波の測定結果を取得する第２処理を実行する脈波取得部と、を備え、
前記認証部は、前記認証には前記脈波の測定結果を使用せず、
前記脈波の測定が終了するまでは、前記ユーザの認証を完了させない認証管理部をさらに備える、制御装置。
【請求項７】
電子機器が備える読み取り部が読み取った生体情報に基づいてユーザの認証を行う認証工程と、
前記生体情報の読み取りの際に、前記読み取り部に隣接して配置された脈波測定部から脈波の測定結果を取得する脈波取得工程と、を含み、
前記認証工程では、前記認証には前記脈波の測定結果を使用しないが、前記脈波の測定が終了するまでは、前記ユーザの認証を完了させない、電子機器の制御方法。
【請求項８】
請求項６に記載の制御装置としてコンピュータを機能させるための制御プログラムであって、前記認証部、前記脈波取得部、および前記認証管理部としてコンピュータを機能させるための制御プログラム。
【発明の詳細な説明】
【技術分野】
【０００１】
本発明は、電子機器、制御装置、制御方法、および制御プログラムに関する。
【背景技術】
【０００２】
スマートフォン等の電子機器において、指紋および脈波等の生体情報を取得し、当該生体情報を個人認証およびユーザの健康管理等の目的で利用する技術が搭載されるようになってきている。
【０００３】
特許文献１には、ユーザの異なる身体部位の脈波を検出する複数の脈波センサと、少なくとも複数の脈波センサにより検出された各脈波の同一性に基づいてユーザを認証するＣＰＵと、を有する生体認証装置が開示されている。
【０００４】
また、特許文献２には、脈波等の経時的に変化する生体情報を検出生体情報として取得し、当該検出生体情報に基づいて検出生体情報の経時的変化を表す情報を含む照合用生体情報を生成し、検出生体情報と照合用生体情報とを照合して本人認証を行う生体認証システムが開示されている。
【先行技術文献】
【特許文献】
【０００５】
【特許文献１】特開２０１８−６１５４０号公報
【特許文献２】特開２０１６−１４３２８１号公報
【発明の概要】
【発明が解決しようとする課題】
【０００６】
しかしながら、上述のような従来技術は、脈波情報を個人認証の精度を高めるために取得および利用する技術であって、脈波情報自体の取得を目的とするものではない。また、脈波情報自体の取得を目的とした従来技術においては、指などの脈波を測定可能な部位を、脈波を測定するセンサに所定時間以上接触させる必要があり、ユーザにとってこのような作業は煩わしいものであった。
【０００７】
本発明の一態様は、ユーザに煩わしさを感じさせることなく脈波情報を取得すること、または脈波情報を取得する際のユーザの煩わしさを軽減することができる電子機器等を実現することを目的とする。
【課題を解決するための手段】
【０００８】
前記の課題を解決するために、本発明の一態様に係る電子機器は、ユーザの生体情報を読み取る読み取り部と、前記読み取り部に隣接して配置された脈波測定部と、少なくとも１つの制御装置とを備える電子機器であって、前記制御装置は、前記読み取り部が読み取った生体情報に基づいて前記ユーザの認証を行う第１処理と、前記生体情報の読み取りの際に、前記脈波測定部から脈波の測定結果を取得する第２処理と、を実行し、前記第１処理では、前記認証には前記脈波の測定結果を使用しないが、前記脈波の測定が終了するまでは、前記認証を完了させない。
【０００９】
前記の課題を解決するために、本発明の一態様に係る制御装置は、電子機器を制御する制御装置であって、前記電子機器が備える読み取り部が読み取った生体情報に基づいてユーザの認証を行う第１処理を実行する認証部と、前記生体情報の読み取りの際に、前記読み取り部に隣接して配置された脈波測定部から脈波の測定結果を取得する第２処理を実行する脈波取得部と、を備え、前記認証部は、前記認証には前記脈波の測定結果を使用せず、前記脈波の測定が終了するまでは、前記ユーザの認証を完了させない認証管理部をさらに備える。
【００１０】
前記の課題を解決するために、本発明の一態様に係る制御方法は、電子機器が備える読み取り部が読み取った生体情報に基づいてユーザの認証を行う認証工程と、前記生体情報の読み取りの際に、前記読み取り部に隣接して配置された脈波測定部から脈波の測定結果を取得する脈波取得工程と、を含み、前記認証工程では、前記認証には前記脈波の測定結果を使用しないが、前記脈波の測定が終了するまでは、前記ユーザの認証を完了させない。
【発明の効果】
【００１１】
本発明の一態様によれば、ユーザに煩わしさを感じさせることなく脈波情報を取得すること、または脈波情報を取得する際のユーザの煩わしさを軽減することができる電子機器等を実現することができる。
【図面の簡単な説明】
【００１２】
【図１】実施形態１に係るスマートフォンの機能ブロックを示すブロック図である。
【図２】実施形態１に係るスマートフォンが備える各センサの配置を示す模式図である。
【図３】実施形態１に係る制御装置による処理の流れの一例を示すフローチャートである。
【図４】実施形態２に係る制御装置による処理の流れの一例を示すフローチャートである。
【図５】実施形態３に係る制御装置による処理の流れの一例を示すフローチャートである。
【発明を実施するための形態】
【００１３】
〔実施形態１〕
＜スマートフォン１の構成＞
本発明の一実施形態について、図１〜図３を参照して以下に説明する。図１は、本実施形態に係るスマートフォン（電子機器）１の機能ブロックを示すブロック図である。図２は、本実施形態に係るスマートフォン（電子機器）１が備える各センサの配置を示す模式図である。図１および図２に示すように、スマートフォン１は、センサ部１０、制御装置２１、記憶装置４１、表示装置４２、振動モータ４３、および通信装置４４を備える。
【００１４】
（センサ部１０）
センサ部１０は、指紋センサ（読み取り部）１１および脈波センサ（脈波測定部）１２を備える。指紋センサ１１は、ユーザの指紋を読み取る部材である。本実施形態において、スマートフォン１によって読み取られる生体情報は指紋である。ただし、前記生体情報は指紋に限られず、例えば、手のひらの静脈パターン等のいかなる生体情報であってもよい。
【００１５】
指紋センサ１１は、ユーザの指を接触させ静止した状態で指紋を検出する面型の指紋センサであってもよく、また、ユーザの指をスライドさせて指紋を検出する線型の指紋センサ等であってもよい。また、指紋センサ１１は静電容量方式による指紋センサであってもよく、光学方式または感圧方式等による指紋センサであってもよい。指紋センサ１１は、その他のいかなる指紋センサであってもよい。
【００１６】
なお、指紋センサ１１は、例えば、スマートフォン１のボタンに重畳されて備えられていてもよい。このような構成によれば、ユーザは、スマートフォン１のボタン操作と連動して、スマートフォン１に指紋を読み取らせることができる。したがって、ユーザは、一度の動作によって、指紋を読み取らせる操作およびボタンによるスマートフォン１の操作を行うことができる。
【００１７】
脈波センサ１２は、ユーザの脈波情報を検出するための部材である。脈波センサ１２は、ＬＥＤ（Light Emitting Diode）等の発光部およびフォトダイオード等の受光部を備える。脈波センサ１２は、前記発光部によってユーザの指に光を照射し、当該光の反射光を前記受光部によって受光することで、当該反射光の強度に応じた信号を出力する。なお、脈波センサ１２ａ・１２ｂはこのような脈波センサに限られず、いかなる脈波センサであってもよい。
【００１８】
図２に示すように、センサ部１０には、２つの脈波センサ１２ａ・１２ｂが、指紋センサ１１の両側部側に隣接して配置されている。なお、「脈波センサ１２」は、脈波センサ１２ａ・１２ｂを合わせた総称として使用する。
【００１９】
また、センサ部１０は、センサ部１０の最長部分の幅Ｗが２０ｍｍ以内であることが好ましい。このような幅Ｗを満たす限り、センサ部１０において、指紋センサ１１と脈波センサ１２ａ・１２ｂとは、どのような位置関係により配置されていてもよい。ただし、脈波センサ１２ａ・１２ｂは、ユーザの指が少なくともいずれか一方の脈波センサに接触する確率を上げるため、図２に示すように、指紋センサ１１を挟むように離間して配置されることが好ましい。
【００２０】
このような構成によれば、ユーザがセンサ部１０に指を接触させた場合、当該指は指紋センサ１１と、脈波センサ１２ａ・１２ｂの少なくともいずれか一方とに接触する可能性が高い。そのため、スマートフォン１は、指紋センサ１１による指紋の読み取りを行う際に、並行して脈波センサ１２による脈波の読み取りを行うことができる。
【００２１】
したがって、スマートフォン１は、ユーザの認証に用いられる指紋と、ユーザの健康状態の把握に用いられる脈波の測定結果とを、同時に取得することができる。そのため、スマートフォン１は、頻繁に行われるユーザの認証のたびに脈波の測定結果を取得して蓄積し、得られた脈波の測定結果をユーザの健康状態の管理等に利用することができる。
【００２２】
（制御装置２１）
制御装置２１は、例えばＣＰＵ（Central Processing Unit）であり、スマートフォン１の各部を統括して制御する。制御装置２１は、認証部３１、脈波取得部３２、認証管理部３３、および動作実行部３４を含む。
【００２３】
認証部３１は、指紋センサ１１が読み取った指紋に基づいて前記ユーザの認証を行う処理（第１処理）を実行する。当該認証において、予め指紋センサ１１によって読み取られて記憶装置４１に記憶された、ユーザの基準指紋データと、指紋センサ１１が読み取った指紋とが照合される。そして、認証部３１は、読み取った指紋と基準指紋データとが同一性を有するか否かの認証結果、すなわち、指紋適合または指紋不適合の認証結果を認証管理部３３に出力する。
【００２４】
脈波取得部３２は、脈波センサ１２から脈波の測定結果を取得する処理（第２処理）を実行する。脈波取得部３２は、取得される脈波の測定結果のデータ量が閾値以上となったら、脈波の測定が終了したと判定し、取得された脈波の測定結果について、前記脈波の測定が終了した時間の情報と共に記憶装置４１に出力する。記憶装置４１は、前記脈波の測定結果と、前記時間の情報とを紐づけて記憶する。また、脈波取得部３２は、脈波の測定が終了したとの判定結果を認証管理部３３に出力する。
【００２５】
ここで、前記閾値とは、脈波の測定結果によって、少なくとも心拍数、血圧、波形、ストレスレベル等の項目が解析可能となる脈波の測定結果のデータ量を示す。このようなデータ量として、例えば、少なくとも１回の拍動が完全に解析できるようなデータ量であることが好ましく、２回の拍動が完全に解析できるようなデータ量であることがより好ましい。
【００２６】
前記閾値は、予めスマートフォン１に記憶されていてもよく、ユーザが任意に設定してもよい。ユーザが前記閾値を任意に設定する場合、ユーザによって、脈波を測定する時間の長さが直接設定されてもよく、また、ユーザが希望する前記項目が選択され、当該選択された項目に適した前記閾値が、スマートフォン１によって自動的に設定されてもよい。
【００２７】
認証管理部３３は、認証部３１から入力された認証結果が前記指紋不適合であった場合、当該認証結果を動作実行部３４に出力する。一方、認証管理部３３は、前記認証結果が前記指紋適合であった場合、さらに脈波取得部３２から脈波の測定が終了したとの判定結果が入力されているか否かを判定する。そして、認証管理部３３は、脈波の測定が終了したとの判定結果が入力されたと判定した時点で、前記指紋適合の認証結果を動作実行部３４に出力する。言い換えれば、認証管理部３３は、ユーザの認証には脈波の測定結果を使用しないが、脈波の測定が終了するまでは、ユーザの認証を完了させない。
【００２８】
動作実行部３４は、表示装置４２および振動モータ４３等を動作させる処理を実行する。動作実行部３４は、例えば、入力された前記認証結果が前記指紋不適合であった場合、表示装置４２に「指紋不適合」の文字を表示させてもよい。また、動作実行部３４は、入力された前記認証結果が前記指紋適合であった場合、表示装置４２に「認証完了」の文字を表示させてもよい。また、動作実行部３４は、表示装置４２への文字の表示と連動して、振動モータ４３を振動させることで認証完了を報知させてもよい。
【００２９】
なお、動作実行部３４により実行されるスマートフォン１の動作は前記に限られず、いかなる態様であってもよい。例えば、動作実行部３４は、前記認証結果が前記指紋適合であった場合、スマートフォン１にロックを解除させてもよい。
【００３０】
（その他の装置）
記憶装置４１は、スマートフォン１に搭載される各種アプリケーション、ユーザの生体情報、設定情報等を記憶する。記憶装置４１は、例えばＨＤＤ（Hard Disk Drive）、ＳＳＤ（Solid State Drive）、またはＲＯＭ（Read Only Memory）である。
【００３１】
表示装置４２は、液晶ディスプレイ装置、プラズマディスプレイ装置、または有機発光ディスプレイ装置等の、２次元での画像表示が可能な表示部である。スマートフォン１の状態および前記認証結果等は、表示装置４２に表示される。
【００３２】
振動モータ４３は、スマートフォン１を振動させる部材である。振動モータ４３は、様々な態様により振動することができる。例えば、振動モータ４３は、前記認証完了を報知する場合は短く１回振動し、前記指紋不適合を報知する場合は短く２回振動してもよい。
【００３３】
なお、センサ部１０、制御装置２１、記憶装置４１、表示装置４２、振動モータ４３、および通信装置４４については、スマートフォン１に単数備えられていてもよいし、複数備えられていてもよい。
【００３４】
＜制御装置２１による認証処理＞
図３は、本実施形態に係る制御装置２１による処理（制御方法）の流れの一例を示すフローチャートである。図３に示すように、認証部３１は、指紋センサ１１に入力が検出されたか否かを判定する（Ｓ１）。また、脈波取得部３２は、脈波センサ１２に入力が検出されたか否かを判定する（Ｓ５）。
【００３５】
ここで、上述のように指紋センサ１１および脈波センサ１２は隣接して配置されるため、ステップＳ１およびステップＳ５が略同時に開始される。すなわち、後述する指紋の読み取り処理（Ｓ２〜Ｓ４）および脈波の読み取り処理（Ｓ６〜Ｓ８）は、並行して進行してもよい。言い換えれば、制御装置２１は、指紋センサ１１による指紋の読み取りの際に、脈波センサ１２から脈波の測定結果を取得する。
【００３６】
（指紋の読み取り処理）
まず、指紋の読み取りに関するステップＳ２〜Ｓ４について説明する。認証部３１は、指紋センサ１１に入力が検出されるまで、ステップＳ１の処理を繰り返す（Ｓ１でＮＯ）。認証部３１は、指紋センサ１１に入力が検出されたら（Ｓ１でＹＥＳ）、指紋センサ１１から指紋のデータを取得する（Ｓ２）。次に、認証部３１は、上述の通り指紋の照合を行い、指紋適合または指紋不適合の判定を行う（Ｓ３、認証工程）。
【００３７】
認証部３１は、前記認証結果が指紋不適合であった場合（Ｓ３でＮＯ）、当該指紋不適合の認証結果について、認証管理部３３を介して動作実行部３４に出力する。動作実行部３４は、当該認証結果が入力された場合、「指紋不適合」の文字を表示装置４２に表示させる（Ｓ４）。
【００３８】
一方、認証部３１は、前記認証結果が指紋適合であった場合（Ｓ３でＹＥＳ）、当該指紋適合の認証結果を認証管理部３３に出力する。
【００３９】
（脈波の読み取り処理）
次に、脈波の読み取りに関するステップＳ５〜Ｓ８について説明する。脈波取得部３２は、脈波センサ１２に入力が検出されるまで、ステップＳ５の処理を繰り返す（Ｓ５でＮＯ）。脈波取得部３２は、脈波センサ１２に入力が検出されたら（Ｓ５でＹＥＳ）、脈波センサ１２から脈波の測定結果のデータを取得する（Ｓ６、脈波取得工程）。
【００４０】
次に、脈波取得部３２は、脈波の測定結果のデータ量が前記閾値以上得られたか否かを判定する（Ｓ７）。このとき、脈波取得部３２は、前記データ量が前記閾値以上得られる前に、脈波センサ１２による脈波の測定が中断されたと判定した場合（Ｓ７でＮＯ）、当該判定結果について、認証管理部３３を介して動作実行部３４に出力する。動作実行部３４は、当該判定結果が入力された場合、「脈波取得エラー」の文字を表示装置４２に表示させる（Ｓ８）。
【００４１】
一方、脈波取得部３２は、前記データ量が前記閾値以上取得できたと判定した場合（Ｓ７でＹＥＳ）、取得された脈波の測定結果をまとめて記憶装置４１に出力する。また、脈波取得部３２は、脈波の測定が終了したとの判定結果を認証管理部３３に出力する。
【００４２】
（認証完了処理）
次に、認証管理部３３は、指紋適合の認証結果および脈波の測定が終了したとの判定結果の、両方の結果が入力されたか否かを判定する（Ｓ９、認証管理工程）。認証管理部３３は、前記両方の結果が入力されていない場合（Ｓ９でＮＯ）、前記両方の結果が入力されるまで、ステップＳ９の判定を繰り返す。例えば、認証管理部３３は、指紋の認証結果のみ入力されている場合には、脈波取得部３２から脈波の測定が終了したとの判定結果が入力されるまで待機する。言い換えれば、認証管理部３３は、脈波の測定が終了するまでは、ユーザの認証を完了させない。
【００４３】
一方、認証管理部３３は、前記両方の結果が入力された場合（Ｓ９でＹＥＳ）、指紋適合の認証結果を動作実行部３４に出力する（Ｓ１０）。動作実行部３４は、「認証完了」の文字を表示装置４２に表示させる（Ｓ１１）。また、このとき動作実行部３４は、前記「認証完了」の文字の表示と連動して、振動モータ４３を振動させてもよい。
【００４４】
このような構成によれば、制御装置２１は、頻繁に行われるユーザの認証のたびに、ユーザの健康管理に必要なデータ量の脈波の測定結果を確実に取得することができる。したがって、スマートフォン１は、ユーザの健康状態を非常に高い精度で把握することができる。
【００４５】
なお、このような処理を行う制御装置２１は、スマートフォン１のような非装着型の携帯端末に実装されることが好ましい。このような構成によれば、ユーザはウェアラブルデバイスのような装着型の電子機器を常時装着する必要なく、前記携帯端末に脈波の測定結果を蓄積して、ユーザの健康管理に利用することができる。また、前記ウェアラブルデバイスによって連続的に脈波の測定結果の取得が行われるような場合と比較して、脈波の測定結果を記憶するために必要な記憶装置４１の容量を大幅に低減でき、また、制御装置２１にかかる負荷を軽減できる。さらに、前記携帯端末のバッテリー消費量を大幅に低減できる。
【００４６】
＜変形例＞
本実施形態の変形例について、図１を参照して以下に説明する。図１に示すように、スマートフォン１は、通信装置４４を備えていてもよい。また、制御装置２１は、健康状態評価部３５としての機能を備えていてもよい。
【００４７】
健康状態評価部３５は、脈波センサ１２によって所定の第１期間（所定期間）内に取得された脈波の測定結果に基づいて、ユーザの健康状態を評価する。当該健康状態の評価は、例えば、前記所定の第１期間内に取得された１つ以上の脈波の測定結果から、特定の時点の脈拍または経時的な脈拍の変化状態を評価するものであってもよい。
【００４８】
このとき、健康状態評価部３５は、前記脈拍の変化が緩やかであった場合は、「脈拍は正常」との評価結果を生成し、前記脈拍の変化が比較的大きかった場合は、「脈拍の変化に注意」との評価結果を生成してもよい。また、前記評価結果には、脈拍の経時的変化を示すグラフ等が含まれていてもよい。なお、前記健康状態の評価はこのような例に限られず、脈波の測定結果から評価可能ないかなる項目を用いて、いかなる態様によって行われてもよい。
【００４９】
また、前記所定の第１期間は、例えば、１日、１週間、または１か月等の期間が想定されるが、これに限られない。また、前記所定の第１期間は、スマートフォン１に予め設定されてもよく、またはユーザによって任意に設定されてもよい。当該設定データは、記憶装置４１に記憶されることが好ましい。
【００５０】
通信装置４４は、サーバ等との通信を行う。通信装置４４は、ケーブルなどを利用した有線通信を行ってもよいし、無線通信を行ってもよい。また、通信装置４４は、スマートフォン１とは異なる電子機器が備える通信装置と相互に通信を行ってもよい。
【００５１】
健康状態評価部３５は、前記健康状態の評価を行った後、前記健康状態の評価結果を動作実行部３４に出力する処理を実行する。そして、動作実行部３４は、当該健康状態の評価結果をユーザまたは所定の通知先に報知する。
【００５２】
動作実行部３４は、前記報知を行うために、前記健康状態の評価結果を表示装置４２に表示させてもよいし、前記健康状態の評価結果を通信装置４４によってスマートフォン１とは異なる電子機器に送信させてもよい。
【００５３】
なお、前記所定の通知先は、例えば、ユーザの家族またはユーザを診察する医師等であってもよい。
【００５４】
このように、健康状態の評価結果がユーザに報知される態様によれば、ユーザは、スマートフォン１に蓄積された脈波の測定結果に基づく、ユーザの健康状態の評価結果を定期的に確認することができる。そのため、スマートフォン１は、ユーザに対して、健康状態の評価結果に基づいた生活習慣の改善等を促すなど、ユーザにとって有益な情報を報知することができる。
【００５５】
また、健康状態の評価結果が、通信装置４４によってスマートフォン１とは異なる電子機器に通信によって送信される構成によれば、ユーザは、ＰＣ（Personal Computer）等のスマートフォン１以外の電子機器からも、前記ユーザ自身の健康状態の評価結果を確認および管理することができる。また、例えば、スマートフォン１から、ユーザの家族等に前記ユーザの前記健康状態の評価結果が送信されることで、前記ユーザの健康状態について、前記ユーザの家族等の間で共有することもできる。
【００５６】
〔実施形態２〕
本発明の他の実施形態について、図１および図４を参照して以下に説明する。なお、説明の便宜上、前記実施形態にて説明した部材と同じ機能を有する部材については、同じ符号を付記し、その説明を繰り返さない。図１に示すように、本実施形態に係るスマートフォン２は、経過時間判定部３６の機能を含む制御装置２２を備える点において、スマートフォン１と異なる。
【００５７】
経過時間判定部３６は、脈波センサ１２がユーザの指等の接触を検出した時間と、当該接触の直近で脈波センサ１２が脈波の測定結果を取得（前回の脈波測定）した時間との時間の間隔が、所定の時間（閾値）以内であるか否かを判定する。経過時間判定部３６は、当該判定結果を認証管理部３３に出力する。
【００５８】
なお、前記所定の時間は、例えば、５分、３０分、１時間等が想定されるが、これに限られない。また、前記所定の時間は、スマートフォン１に予め設定されてもよく、またはユーザによって任意に設定されてもよい。当該設定データは記憶装置４１に記憶されることが好ましい。
【００５９】
認証管理部３３は、前記時間の間隔が前記閾値以内であるとの判定結果を取得した場合、脈波取得部３２から脈波の測定が終了したとの判定結果が入力されているか否かの判定を行わない。この場合、認証管理部３３は、認証部３１から入力された認証結果が前記指紋適合であった場合、脈波取得部３２からの入力を待たず、直ちに前記認証結果を動作実行部３４に出力する。言い換えれば、認証管理部３３は、前回の脈波測定からの経過時間が前記閾値以内である場合、前記第１処理では、前記脈波の測定終了を待たずに前記認証を完了させる。
【００６０】
なお、脈波取得部３２は、経過時間判定部３６によって前記時間の間隔が前記閾値以内であると判定された場合、脈波センサ１２から脈波の測定結果を取得してもよいし、取得しなくてもよい。脈波取得部３２は、脈波センサ１２から脈波の測定結果を取得する場合、ユーザの個人認証完了の有無を問わず、ユーザの指等が脈波センサ１２から離れるまでの脈波の測定結果を取得してもよい。
【００６１】
このような構成によれば、制御装置２２は、ユーザの個人認証を迅速に完了できる。また、短時間で取得された脈波の測定結果について、当該測定結果のデータ量がユーザの健康状態の管理に用いることができる程度であれば、当該測定結果をユーザの健康状態の管理に用いてもよい。また、制御装置２２は、当該測定結果のデータ量が少なければ、当該測定結果を破棄してもよい。
【００６２】
＜制御装置２２による認証処理＞
図４は、本実施形態に係る制御装置２２による処理の流れの一例を示すフローチャートである。なお、実施形態１において説明したステップの説明については省略する。
【００６３】
本実施形態において、経過時間判定部３６は、脈波センサ１２に入力が検出されたら（Ｓ５でＹＥＳ）、当該検出の直近で脈波取得部３２よって脈波の測定結果が取得された時点から、前記所定の時間が経過しているか否かを判定する（Ｓ１２）。制御装置２２は、経過時間判定部３６によって前記所定の時間が経過していたと判定された場合（Ｓ１２でＹＥＳ）、実施形態１に係る制御装置２１と同様に、ステップＳ６の脈波取得以降の処理を実行する。
【００６４】
一方、経過時間判定部３６は、前記所定の時間が経過していないと判定した場合（Ｓ１２でＮＯ）、認証管理部３３に当該判定結果を出力する。この場合、認証管理部３３は、脈波取得部３２から判定結果が入力されるのを待たずに、指紋適合の認証結果を直ちに動作実行部３４に出力する（Ｓ１０）。すなわち、制御装置２２は、経過時間判定部３６によって前記所定の時間が経過していないと判定された場合、指紋適合ステップＳ６〜Ｓ９の処理をスキップする。
【００６５】
このような構成によれば、制御装置２２は、ユーザの認証が前記所定の時間内に頻繁に行われた場合、毎回脈波の測定結果の取得が終了するまでユーザの認証完了を待機しない。そのため、このような場合、制御装置２２はユーザの認証を迅速に完了することができる。また、脈波の測定結果を頻繁には取得しないため、脈波の測定結果を記憶するために必要な記憶装置４１の容量を低減でき、また制御装置２２にかかる負荷を軽減できる。さらに、スマートフォン２のバッテリー消費量を低減できる。
【００６６】
〔実施形態３〕
本発明の他の実施形態について、図１および図５を参照して以下に説明する。図１に示すように、本実施形態に係るスマートフォン３は、脈波情報比較部３７の機能を含む制御装置２３を備える点において、スマートフォン１と異なる。
【００６７】
脈波情報比較部３７は、脈波センサ１２によって測定された過去の脈波の測定結果と、脈波センサ１２による最新の脈波の測定結果との比較を行う処理を実行する。ここで、前記過去の脈波の測定結果は、過去の特定の時点において脈波センサ１２によって測定された脈波の測定結果でもよく、また、過去の所定の第２期間内において脈波センサ１２によって測定された、複数の脈波の測定結果を平均化した平均脈波情報であってもよい。
【００６８】
前記平均化の方法は、例えば、脈波の測定結果から解析可能な心拍数、血圧、波形、ストレスレベル等の各項目について、それぞれ複数の脈波の測定結果から測定値を抽出した上で、当該測定値の平均値を算出する方法であってもよい。この場合、前記平均脈波情報は、脈波情報比較部３７によって、前記各項目の測定値の平均値を含む、複合的な情報として生成される。なお、複数の脈波の測定結果を平均化する方法については、前記に限られず、いかなる方法であってもよい。前記平均脈波情報に含まれる情報は、前記平均化の方法に従って決定される。
【００６９】
また、前記所定の第２期間は、例えば、１日、１週間、または１か月等の期間が想定されるが、これに限られない。また、前記所定の第２期間は、スマートフォン１に予め設定されてもよく、またはユーザによって任意に設定されてもよい。当該設定データは、記憶装置４１に記憶されることが好ましい。
【００７０】
さらに、脈波情報比較部３７は、前記比較結果を解析し、その内容に応じて、スマートフォン３がユーザに対して前記比較の結果を報知する態様を変更し、当該報知する態様の情報を動作実行部３４に出力する処理を実行する。動作実行部３４は、脈波情報比較部３７から入力された前記報知する態様の情報に応じて、スマートフォン３を動作させる。
【００７１】
なお、動作実行部３４は、ユーザの認証完了に伴う「認証完了」を表示装置４２に表示させる際に、合わせて前記報知する態様によるユーザへの報知を行ってもよい。
【００７２】
前記報知する態様は、例えば、前記比較の結果、前記特定の時点において前記平均脈波情報よりも脈拍が早かった場合、動作実行部３４が表示装置４２に「脈拍が早いです。深呼吸してください」の文字を表示させる態様が想定される。
【００７３】
また、前記報知する態様は、前記比較の結果、いずれかの前記項目における差分が著しく大きかった場合、動作実行部３４により表示装置４２に緊急であることを報知する画像を表示させたり、スマートフォン３が備える通話機能を起動させたりする態様であってもよい。
【００７４】
＜制御装置２３による認証処理＞
図５は、本実施形態に係る制御装置２３による処理の流れの一例を示すフローチャートである。なお、実施形態１において説明したステップの説明については省略する。
【００７５】
本実施形態において、脈波情報比較部３７は、ユーザの個人認証処理が完了したときに、当該個人認証処理において取得された脈波の測定結果と、前記平均脈波情報とを比較する（Ｓ１３）。そして、脈波情報比較部３７は、前記比較結果に基づくユーザへ報知する態様を決定する（Ｓ１４）。
【００７６】
次に、脈波情報比較部３７は、決定した前記報知する態様を動作実行部３４に出力する。動作実行部３４は、認証管理部３３から入力された指紋適合の認証結果に従って、表示装置４２に「認証完了」の文字を表示させると共に、前記報知する態様に従った文字等を表示装置４２に表示させる。
【００７７】
このような構成によれば、ユーザは、個人認証を行ったときに合わせて自身の健康状態を把握することができる。したがって、スマートフォン３は、ユーザに対して、前記報知する態様に基づいた生活習慣の改善等を促す等、ユーザにとって有益な情報を報知することができる。
【００７８】
〔ソフトウェアによる実現例〕
制御装置２１・２２・２３の制御ブロック（特に認証部３１、脈波取得部３２、認証管理部３３）は、集積回路（ＩＣチップ）等に形成された論理回路（ハードウェア）によって実現してもよいし、ソフトウェアによって実現してもよい。
【００７９】
後者の場合、制御装置２１は、各機能を実現するソフトウェアであるプログラムの命令を実行するコンピュータを備えている。このコンピュータは、例えば少なくとも１つのプロセッサ（制御装置）を備えていると共に、前記プログラムを記憶したコンピュータ読み取り可能な少なくとも１つの記録媒体を備えている。そして、前記コンピュータにおいて、前記プロセッサが前記プログラムを前記記録媒体から読み取って実行することにより、本発明の目的が達成される。前記プロセッサとしては、例えばＣＰＵ（Central Processing Unit）を用いることができる。前記記録媒体としては、「一時的でない有形の媒体」、例えば、ＲＯＭ（Read Only Memory）等の他、テープ、ディスク、カード、半導体メモリ、プログラマブルな論理回路などを用いることができる。また、前記プログラムを展開するＲＡＭ（Random Access Memory）などをさらに備えていてもよい。また、前記プログラムは、該プログラムを伝送可能な任意の伝送媒体（通信ネットワークや放送波等）を介して前記コンピュータに供給されてもよい。なお、本発明の一態様は、前記プログラムが電子的な伝送によって具現化された、搬送波に埋め込まれたデータ信号の形態でも実現され得る。
【００８０】
〔まとめ〕
本発明の態様１に係る電子機器（スマートフォン１）は、ユーザの生体情報を読み取る読み取り部（指紋センサ１１）と、前記読み取り部（指紋センサ１１）に隣接して配置された脈波測定部（脈波センサ１２）と、少なくとも１つの制御装置（２１）とを備える電子機器であって、前記制御装置（２１）は、前記読み取り部（指紋センサ１１）が読み取った生体情報に基づいて前記ユーザの認証を行う第１処理と、前記生体情報の読み取りの際に、前記脈波測定部（脈波センサ１２）から脈波の測定結果を取得する第２処理と、を実行し、前記第１処理では、前記認証には前記脈波の測定結果を使用しないが、前記脈波の測定が終了するまでは、前記認証を完了させない。
【００８１】
前記の構成によれば、制御装置は、脈波の測定が終了するまでユーザの認証を完了させない。そのため、制御装置は、頻繁に行われるユーザの認証のたびに、ユーザの健康管理に必要な量の脈波の測定結果を確実に取得することができる。したがって、電子機器は、ユーザの健康状態を高い精度で把握することができる。
【００８２】
本発明の態様２に係る電子機器（スマートフォン２）は、前記態様１において、前記制御装置（２２）は、前回の脈波測定からの経過時間が閾値以内である場合、前記第１処理では、前記脈波の測定終了を待たずに前記認証を完了してもよい。
【００８３】
前記の構成によれば、制御装置は、ユーザの認証が閾値内の時間の間隔により頻繁に行われた場合、毎回脈波の測定が終了するまでユーザの認証を待機しない。そのため、このような場合、制御装置はユーザの認証を迅速に完了することができる。また、脈波の測定結果を頻繁には取得しないため、脈波の測定結果を記憶するために必要な記憶装置の容量を低減でき、また制御装置にかかる負荷を軽減できる。また、電子機器のバッテリー消費量を低減できる。
【００８４】
本発明の態様３に係る電子機器（スマートフォン３）は、前記態様１または２において、前記制御装置（２３）は、前記ユーザに対し、前記脈波測定部（脈波センサ１２）による過去の脈波の測定結果と、前記脈波測定部（脈波センサ１２）による最新の脈波の測定結果との比較結果に基づく報知を行ってもよい。
【００８５】
前記の構成によれば、ユーザは、認証を行ったときに合わせて自身の健康状態を把握することができる。したがって、電子機器は、ユーザに対して、前記報知する態様に基づいた生活習慣の改善等を促すことができる。
【００８６】
本発明の態様４に係る電子機器（スマートフォン１）は、前記態様１から３において、前記制御装置（２１）は、前記脈波測定部（脈波センサ１２）によって所定期間内に取得された前記脈波の測定結果に基づいて前記ユーザの健康状態を評価し、前記ユーザの健康状態の評価結果を前記ユーザまたは所定の通知先に報知してもよい。
【００８７】
前記の構成によれば、ユーザは、電子機器に蓄積された脈波の測定結果に基づく、ユーザの健康状態の評価結果を定期的に確認することができる。そのため、電子機器は、ユーザに対して、健康状態の評価結果に基づいた生活習慣の改善等を促すことができる。
【００８８】
本発明の態様５に係る電子機器（スマートフォン１）は、前記態様１から４において、非装着型の携帯端末であってもよい。
【００８９】
前記の構成によれば、ユーザは装着型の電子機器を装着する必要なく、被装着型の携帯端末を利用することで、当該携帯端末に脈波の測定結果を蓄積してユーザの健康管理に利用することができる。
【００９０】
本発明の態様６に係る制御装置（２１）は、電子機器（スマートフォン１）を制御する制御装置（２１）であって、前記電子機器（スマートフォン１）が備える読み取り部（指紋センサ１１）が読み取った生体情報に基づいてユーザの認証を行う第１処理を実行する認証部（３１）と、前記生体情報の読み取りの際に、前記読み取り部（指紋センサ１１）に隣接して配置された脈波測定部（脈波センサ１２）から脈波の測定結果を取得する第２処理を実行する脈波取得部（３２）と、を備え、前記認証部（３１）は、前記認証には前記脈波の測定結果を使用せず、前記脈波の測定が終了するまでは、前記ユーザの認証を完了させない認証管理部（３３）をさらに備える。
【００９１】
本発明の態様７に係る制御方法は、電子機器（スマートフォン１）が備える読み取り部（指紋センサ１１）が読み取った生体情報に基づいてユーザの認証を行う認証工程と、前記生体情報の読み取りの際に、前記読み取り部に隣接して配置された脈波測定部（脈波センサ１２）から脈波の測定結果を取得する脈波取得工程と、を含み、前記認証工程では、前記認証には前記脈波の測定結果を使用しないが、前記脈波の測定が終了するまでは、前記ユーザの認証を完了させない。
【００９２】
本発明の態様８に係る制御プログラムは、前記態様６に記載の制御装置（２１）としてコンピュータを機能させるための制御プログラムであって、前記認証部（３１）、前記脈波取得部（３２）、および前記認証管理部（３３）としてコンピュータを機能させる。
【００９３】
〔付記事項〕
本発明の各態様に係る制御装置は、コンピュータによって実現してもよく、この場合には、コンピュータを前記制御装置が備える各部（ソフトウェア要素）として動作させることにより前記制御装置をコンピュータにて実現させる制御装置の制御プログラム、およびそれを記録したコンピュータ読み取り可能な記録媒体も、本発明の範疇に入る。
【００９４】
また、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９５】
１，２，３  スマートフォン
１０  センサ部
１１  指紋センサ（読み取り部）
１２，１２ａ，１２ｂ  脈波センサ（脈波測定部）
２１，２２，２３  制御装置
３１  認証部
３２  脈波取得部
３３  認証管理部
３５  健康状態評価部
３６  経過時間判定部
３７  脈波情報比較部
【図１】
2020074910.tif 000003
【図２】
2020074910.tif 000004
【図３】
2020074910.tif 000005
【図４】
2020074910.tif 000006
【図５】
2020074910.tif 000007